(57)【特許請求の範囲】
【請求項１】
現金自動取引装置本体と、前記現金自動取引装置本体に配設され、前記現金自動取引装置本体に対して開閉可能な顧客操作パネル部とを有する現金自動取引装置において、
前記顧客操作パネル部は、利用者が入力操作するタッチパネルと、操作画面を表示するディスプレイと、前記ディスプレイの操作画面の可視範囲を光学的に調整する覗き見防止用の光学フィルタとを備えており、前記ディスプレイは、前記タッチパネルの下部に配置され、前記ディスプレイを前記顧客操作パネル部に対して開閉自在に装着し、前記光学フィルタは、前記タッチパネルの下側に重合して配置され、前記光学フィルタを前記タッチパネルと前記ディスプレイとの間に挟持したことを特徴とする現金自動取引装置。
【請求項２】
上記光学フィルタの外周縁の周囲に、上記タッチパネル及び上記ディスプレイに密接する弾性シール部材が配設されている請求項１に記載の現金自動取引装置。
【請求項３】
上記弾性シール部材は、上記光学フィルタの外周縁に装着されている請求項２に記載の現金自動取引装置。
【発明の詳細な説明】
【技術分野】
【０００１】
本発明は、液晶ディスプレイの操作画面の覗き見を防止するＡＴＭやＣＤなどの現金自動取引装置に関するものである。
【背景技術】
【０００２】
近年、ＡＴＭ（Ａｕｔｏｍａｔｉｃ  Ｔｅｌｌｅｒ  Ｍａｃｈｉｎｅ；現金自動預け払い機）やＣＤ（Ｃａｓｈ  Ｄｉｓｐｅｎｓｅｒ；現金自動支払い機）などの金融端末としての現金自動取引装置は、銀行などの金融機関内からコンビニエンスストアやスーパーマーケットなどの小売店舗内にも設置されている。
【０００３】
しかしながら、この現金自動取引装置では、現金をキャッシュカードで出金する場合、利用者が個人認証用の暗証番号をタッチパネルで入力操作する時に、液晶ディスプレイの操作画面が利用者の後方や両側方から覗き見され、キャッシュカードの暗証番号を他人に覚えられてしまうおそれがあった。
【０００４】
従来、液晶ディスプレイの表示画面前面に取付ける表示画面用光学フィルタが特許文献１，特許文献２，特許文献３に開示されている。
【特許文献１】特開２００３−２８７６０７号公報
【特許文献２】特開２００２−３２８２０６号公報
【特許文献３】特開２００２−２０２４０５号公報
【発明の開示】
【発明が解決しようとする課題】
【０００５】
ところが、特許文献１〜３に開示された表示画面用光学フィルタでは、光学フィルタを液晶ディスプレイの表示画面前面に貼り付けていたので、光学フィルタが外部に露出し、光学フィルタの表面に汚れが付着して、光学フィルタの覗き見防止効果が低下するおそれがあり、光学フィルタの表面が傷付き易く、光学フィルタを液晶ディスプレイの表示画面前面から取外すことが困難であった。
【０００６】
そこで、本発明の目的は、上記の事情に鑑みてなされたものであって、覗き見防止用の光学フィルタをタッチパネルとディスプレイとの間に挟持するのみで、光学フィルタのディスプレイの操作画面への取付け作業を容易に行うことができ、タッチパネルへの入力操作時に、利用者のみがタッチパネル及び光学フィルタを通してディスプレイの操作画面の内容を明確に見ることができ、光学フィルタがディスプレイの操作画面全体を覆っているので、ディスプレイの操作画面の覗き見を光学フィルタにより確実に防止することができ、光学フィルタが外部に露出しないので、光学フィルタの表面が傷付き難く、光学フィルタの表面に汚れが付着しないので、光学フィルタの覗き見防止効果が低下することもなく、弾性シール部材が光学フィルタの外周縁の周囲を取り囲むので、光学フィルタがディスプレイの操作画面からずれることもなく、従来のように光学フィルタをディスプレイ表示画面に貼り付けないので、光学フィルタのディスプレイの操作画面からの取外しを簡単に行うことが可能な現金自動取引装置を提供することにある。
【課題を解決するための手段】
【０００７】
本発明の現金自動取引装置は、現金自動取引装置本体と、前記現金自動取引装置本体に配設され、前記現金自動取引装置本体に対して開閉可能な顧客操作パネル部とを有する現金自動取引装置において、前記顧客操作パネル部が、利用者が入力操作するタッチパネルと、操作画面を表示するディスプレイと、前記ディスプレイの操作画面の可視範囲を光学的に調整する覗き見防止用の光学フィルタとを備えており、前記ディスプレイが、前記タッチパネルの下部に配置され、前記ディスプレイを前記顧客操作パネル部に対して開閉自在に装着し、前記光学フィルタが、前記タッチパネルの下側に重合して配置され、前記光学フィルタを前記タッチパネルと前記ディスプレイとの間に挟持したことを特徴とする構成を有するものである。
【０００８】
本発明の現金自動取引装置は、上記光学フィルタの外周縁の周囲に、上記タッチパネル及び上記ディスプレイに密接する弾性シール部材が配設されている。
【０００９】
本発明の現金自動取引装置は、上記弾性シール部材が、上記光学フィルタの外周縁に装着されている。
【発明の効果】
【００１０】
以上に述べたように、本発明によれば、覗き見防止用の光学フィルタをタッチパネルとディスプレイとの間に挟持するのみで、光学フィルタのディスプレイの操作画面への取付け作業を容易に行うことができ、タッチパネルへの入力操作時に、利用者のみがタッチパネル及び光学フィルタを通してディスプレイの操作画面の内容を明確に見ることができ、光学フィルタがディスプレイの操作画面全体を覆っているので、ディスプレイの操作画面の覗き見を光学フィルタにより確実に防止することができ、光学フィルタが外部に露出しないので、光学フィルタの表面が傷付き難く、光学フィルタの表面に汚れが付着しないので、光学フィルタの覗き見防止効果が低下することもなく、弾性シール部材が光学フィルタの外周縁の周囲を取り囲むので、光学フィルタがディスプレイの操作画面からずれることもなく、従来のように光学フィルタをディスプレイ表示画面に貼り付けないので、光学フィルタのディスプレイの操作画面からの取外しを簡単に行うことが可能な現金自動取引装置を得ることができる。
【発明を実施するための最良の形態】
【００１１】
以下、本発明を実施するための最良の形態を図面を参照して詳細に説明する。
【実施例】
【００１２】
本発明の現金自動取引装置１は、現金自動取引装置本体としての筐体２と、筐体２の前面に配設され、筐体２に対して開閉可能な顧客操作パネル部３とを有している。
【００１３】
本発明の現金自動取引装置１は、顧客操作パネル部３が、利用者が入力操作するタッチパネル４と、操作画面を表示する液晶ディスプレイ５と、液晶ディスプレイ５の操作画面の可視範囲を光学的に調整する覗き見防止用の光学フィルタ６とを備えている。
【００１４】
本発明の現金自動取引装置１は、液晶ディスプレイ５が、タッチパネル４の下部に配置され、液晶ディスプレイ５を顧客操作パネル部３に対して開閉自在に装着している。
【００１５】
本発明の現金自動取引装置１は、光学フィルタ６が、タッチパネル４の下側に重合して配置され、光学フィルタ６をタッチパネル４と液晶ディスプレイ５との間に挟持している。
【００１６】
本発明の現金自動取引装置１は、光学フィルタ６の外周縁の周囲に、タッチパネル４及び液晶ディスプレイ５に密接する弾性シール部材であるゴムパッキン７が配設されている。
【００１７】
本発明の現金自動取引装置１は、ゴムパッキン７が、光学フィルタ６の外周縁に装着されている。
【００１８】
図１は、本発明の実施例に係る現金自動取引装置の外観を示す斜視図、図２は、本発明の実施例に係る現金自動取引装置の要部正断面図、図３は、本発明の実施例に係る現金自動取引装置の要部平面図、図４は、本発明の実施例に係る現金自動取引装置の要部側断面図、図５は、本発明の実施例に係る現金自動取引装置における光学フィルタのタッチパネルへのセット状態を示す要部底面図、図６は、本発明の実施例に係る現金自動取引装置における顧客操作パネル部を筐体に対して持ち上げた状態を示す右側面図、図７は、本発明の実施例に係る現金自動取引装置における液晶ディスプレイをタッチパネルの前方に開いた状態を示す要部側断面図、図８は、本発明の実施例に係る現金自動取引装置におけるタッチパネルへの入力操作時の液晶ディスプレイの操作画面の光学フィルタによる覗き見防止を説明する平面図である。
【００１９】
現金自動取引装置１は、図１に示すように、筐体２を有し、現金自動取引装置１の筐体２の前面には開閉可能な略Ｌ字形状の顧客操作パネル部３が配置され、顧客操作パネル部３は、垂直パネル３ａと、垂直パネル３ａの下端から前方に向って斜め下方に僅かに傾斜した水平パネル３ｂとからなる。
【００２０】
顧客操作パネル部３の垂直パネル３ａには、取引の取扱いの種類を表示する表示器８，通帳出入口９及びカード出入口１０が設けられている。
【００２１】
顧客操作パネル部３の水平パネル３ｂには、紙幣入出金口１１，貨幣入出金口１２及び光学式のタッチパネル４が設けられている。
【００２２】
現金自動取引装置１の筐体２の上壁２ａの前縁には、顧客操作パネル部３の垂直パネル３ａの上端が開閉自在に蝶着されている。
【００２３】
現金自動取引装置１の筐体２は、顧客操作パネル部３を持ち上げたままの姿勢を維持する姿勢維持手段（図示せず）を備えている。
【００２４】
光学式のタッチパネル４は、図２，図３及び図４に示すように、平板状の透明な保護フィルタ４０と、保護フィルタ４０の周囲の上部を囲むように配置されたフロントパネル４１と、保護フィルタ４０の周囲にフロントパネル４１の裏側を覆うように配置されたリヤカバー４２と、フロントパネル４１の内周縁寄りの内側に配置された保護フィルタ４０の外周縁を保持する枠状のベゼル４３と、リヤカバー４２の上側に配置された枠状の回路基板４４と、回路基板４４上に配置された赤外線を発光する複数の赤外線発光素子４５と、回路基板４４上に配置された赤外線を受光する複数の赤外線受光素子４６とから構成されている。
タッチパネル４のベゼル４３は、赤外線透過性を有している。
４７は、タッチパネル４から引き出されたインターフェイスケーブルである。
【００２５】
タッチパネル４は、リヤカバー４２の四隅がフロントパネル４１に対してねじ４８により固定されている。
【００２６】
タッチパネル４のリヤカバー４２には、保護フィルタ４０に臨んで開口部４２ａが形成され、リヤカバー４２の開口部４２ａには、透明フィルタ４０の外周縁の下面に密接するゴムパッキン７が嵌合装着されている。
【００２７】
タッチパネル４の保護フィルタ４０の下側には、リヤカバー４２の開口部４２ａに相当する箇所に平板状の光学フィルタ６が重合して配置され、光学フィルタ６の外周縁の周囲はゴムパッキン７により囲まれており、図５に示すように、光学フィルタ６の外周縁とゴムパッキン７との間には隙間４９が形成されている。
【００２８】
ゴムパッキン７は、光学フィルタ６の外周縁の周囲を取り囲んでいるので、光学フィルタ６は液晶ディスプレイ５の操作画面に対してずれることがない。
【００２９】
タッチパネル４の下部には、間隔を置いてこれと平行な液晶ディスプレイ５が配置され、液晶ディスプレイ５は、顧客操作パネル部３の水平パネル３ｂの下部に開閉自在に装着されている。
【００３０】
顧客操作パネル部３の水平パネル３ｂの下側には、液晶ディスプレイ５を覆う保護カバー（図示せず）が着脱自在に取付けられている。
【００３１】
次に、本発明の実施例に係る現金自動取引装置における光学フィルタの取付け作業について説明する。
まず、係員が現金自動取引装置１の取引の取扱いを中止にした後、現金自動取引装置１の電源を切る。
【００３２】
次いで、図６に示すように、係員が手で顧客操作パネル部３を筐体２に対して上方に開くように持ち上げた後、液晶ディスプレイ５を覆う保護カバーを顧客操作パネル部３の水平パネル３ｂの下側より取り外した後、図７に示すように、液晶ディスプレイ５を顧客操作パネル部３の水平パネル３ｂに対してタッチパネル４から離間するように前方に開く。
【００３３】
次いで、タッチパネル４の内側面及び液晶ディスプレイ５の表示画面を清掃し、次いで、光学フィルタ６をゴムパッキン７の内側にタッチパネル４の保護フィルタ４０に重合するようにセットした後、光学フィルタ６を外れないようにタッチパネル４側に押えて、液晶ディスプレイ５を顧客操作パネル部３の水平パネル３ｂに対してタッチパネル４に向って閉じることにより、覗き見防止用の光学フィルタ６がタッチパネル４の保護フィルタ４０と液晶ディスプレイ５との間に挟持され、ゴムパッキン７が液晶ディスプレイ５の表示画面に密接され、光学フィルタ６は液晶ディスプレイ５の操作画面を覆うようにタッチパネル４の下側に取付けられる。
【００３４】
次いで、顧客操作パネル部３の水平パネル３ｂの下部に液晶ディスプレイ５を覆う保護カバーを取付けた後、係員が手で顧客操作パネル部３を筐体２に対して下ろし、光学フィルタ６の取付け作業は終了する。
【００３５】
そして、ゴムパッキン７は、タッチパネル４の保護フィルタ４０の内側面及び液晶ディスプレイ５の表示画面に密接されるので、タッチパネル４と液晶ディスプレイ５との間への塵埃の侵入は、ゴムパッキン７により確実に防止することができる。
【００３６】
次に、本発明の実施例に係る現金自動取引装置の作用について説明する。
この現金自動取引装置１では、現金をキャッシュカードで出金する場合、利用者は現金自動取引装置１のタッチパネル４の真正面に立ち、利用者が個人認証用の暗証番号を液晶ディスプレイ５の操作画面を見ながらタッチパネル４で入力操作する。
【００３７】
この時、利用者は現金自動取引装置１のタッチパネル４の真正面の図８に示す位置Ａからタッチパネル４及び光学フィルタ６を通して液晶ディスプレイ５の操作画面をはっきり見ることができる。
【００３８】
また、覗き見防止用の光学フィルタ６がタッチパネル４と液晶ディスプレイ５との間に介在されているので、光学フィルタ６の構造により液晶ディスプレイ５の操作画面の可視角度の調整が可能となり、光学フィルタ６が液晶ディスプレイ５の操作画面全体を覆っているので、他人が現金自動取引装置１のタッチパネル４の前方の図８に示す位置Ｂ，Ｃ，Ｄから液晶ディスプレイ５の操作画面を見ようとしても、位置Ｂ，Ｃ，Ｄからは液晶ディスプレイ５の操作画面の内容が光学フィルタ６により見え難くなり、利用者の後方や両側方からの液晶ディスプレイ５の操作画面の覗き見を光学フィルタ６で確実に防止することができる。
【００３９】
なお、上述した実施例では、ゴムパッキン７をタッチパネル４側に取付けたが、ゴムパッキン７は、液晶ディスプレイ５の表示画面上に取付けても良く、或いはゴムパッキン７を光学フィルタ６の外周縁に取付けても良い。
また、タッチパネル４は、光学式に限定されるものではなく、静電容量式，抵抗膜式のものでも良い。
さらに、ディスプレイは、ＣＲＴ（Ｃａｔｈｏｄｅ  Ｒａｙ  Ｔｕｂｅ；ブラウン管）でも良い。
【図面の簡単な説明】
【００４０】
【図１】本発明の実施例に係る現金自動取引装置の外観を示す斜視図。
【図２】本発明の実施例に係る現金自動取引装置の要部正断面図。
【図３】本発明の実施例に係る現金自動取引装置の要部平面図。
【図４】本発明の実施例に係る現金自動取引装置の要部側断面図。
【図５】本発明の実施例に係る現金自動取引装置における光学フィルタのタッチパネルへのセット状態を示す要部底面図。
【図６】本発明の実施例に係る現金自動取引装置における顧客操作パネル部を筐体に対して持ち上げた状態を示す右側面図。
【図７】本発明の実施例に係る現金自動取引装置における液晶ディスプレイをタッチパネルの前方に開いた状態を示す要部側断面図。
【図８】本発明の実施例に係る現金自動取引装置におけるタッチパネルへの入力操作時の液晶ディスプレイの操作画面の光学フィルタによる覗き見防止を説明する平面図。
【符号の説明】
【００４１】
１  現金自動取引装置
２  筐体（現金自動取引装置本体）
２ａ  上壁
３  顧客操作パネル部
３ａ  垂直パネル
３ｂ  水平パネル
４  タッチパネル
５  液晶ディスプレイ
６  光学フィルタ
７  ゴムパッキン（弾性シール部材）
８  表示器
９  通帳出入口
１０  カード出入口
１１  紙幣入出金口
１２  貨幣入出金口
４０  保護フィルタ
４１  フロントパネル
４２  リヤカバー
４２ａ  開口部
４３  ベゼル
４４  回路基板
４５  赤外線発光素子
４６  赤外線受光素子
４７  インターフェイスケーブル
４８  ねじ
４９  隙間
Ａ，Ｂ，Ｃ，Ｄ  位置
【図１】
0004738102.tif 000002
【図２】
0004738102.tif 000003
【図３】
0004738102.tif 000004
【図４】
0004738102.tif 000005
【図５】
0004738102.tif 000006
【図６】
0004738102.tif 000007
【図７】
0004738102.tif 000008
【図８】
0004738102.tif 000009